(57)【特許請求の範囲】
【請求項１】
遊技盤に前側から直接装着された前飾り部材に、発光基板の前面側の複数個の発光体の点滅等により遊技情報を表示する遊技情報表示装置を備えた遊技機において、
前記発光体を含む前記発光基板を収容するケースを備え、
該ケースは遮光性を有し且つ前記発光基板の前側に配置された前ケース体と、前記発光基板の後側に配置された後ケース体とを備え、
前記前ケース体は前記複数個の発光体に対応する複数個の透過孔が形成され且つ該複数個の透過孔の前後両側が前記前飾り部材及び前記発光基板に当接する前面板を備え、
前記前飾り部材は前記遊技情報表示装置の前面側に対応して設けられ且つ前記複数個の透過孔に対応する複数個の表示窓を有する遮光部を備えた
ことを特徴とする遊技機。
【請求項２】
前記遮光部は前記表示窓を有する遮光用表示シートであることを特徴とする請求項１に記載の遊技機。
【請求項３】
前記前ケース体と前記後ケース体との一方に挿入突部を、他方に該挿入突部が挿入される挿入凹部を夫々備え、
前記前ケース体と前記後ケース体とを前記挿入突部と前記挿入凹部とを介して結合した
ことを特徴とする請求項１又は２に記載の遊技機。
【請求項４】
前記前ケース体と前記後ケース体とを分離不能に結合した
ことを特徴とする請求項１〜３の何れかに記載の遊技機。
【請求項５】
前記挿入突部を前記挿入凹部に圧入、接着又は溶着した
ことを特徴とする請求項３に記載の遊技機。
【発明の詳細な説明】
【技術分野】
【０００１】
本発明は、パチンコ機、アレンジボール機、スロットマシン等の遊技機に関するものである。
【背景技術】
【０００２】
例えばパチンコ機等の弾球遊技機に使用する遊技情報表示装置として、発光基板の前面に装着された複数個の発光体を備え、その各発光体の何れかを普通図柄表示手段、普通図柄保留表示手段、特別図柄表示手段、特別図柄保留表示手段等に夫々割り当てておき、普通図柄始動手段の遊技球の検出を条件に、普通図柄表示手段用の発光体の点滅発光により普通図柄を所定時間変動させて当たり図柄、外れ図柄の何れかを停止表示し、また特別図柄始動手段の遊技球の検出を条件に、特別図柄表示手段用の発光体の点滅発光により特別図柄を所定時間変動させて大当たり図柄、外れ図柄の何れかを停止表示し、更に図柄表示手段の図柄変動中に始動手段が遊技球を検出すれば、各保留表示手段用の発光体が発光して最大４個までの保留数を表示するようにしたものがある（特許文献１）。
【０００３】
この遊技情報表示装置は、発光基板が裏カバーにネジにより着脱自在に固定され、この裏カバーが遊技盤の遊技領域の外側に配置された前飾り部材の裏側にネジにより着脱自在に装着されている。
【先行技術文献】
【特許文献】
【０００４】
【特許文献１】特開２００８−１８３１７２号公報
【発明の概要】
【発明が解決しようとする課題】
【０００５】
このような構成の遊技情報表示装置は、表示基板の前面に装着された多数の発光体を何れかの表示手段に割り当てているため、表示手段数の数が多い場合にも、各表示手段を単一の表示基板に集中的に配置できる利点がある。
【０００６】
しかし、検定基準上、基板が独立した一部品を構成する場合には、その基板にメーカー名や基板管理番号等の識別標識を印刷することとなっているため、従来の遊技情報表示装置では、その発光基板に識別標識を印刷する必要があり、また同一の構成の発光基板を複数のメーカーに対して共通部品として供給する際にもコストアップになる欠点がある。
【０００７】
即ち、従来は発光基板を裏カバーに、裏カバーを前飾り部材に夫々ネジにより固定しており、発光基板、裏カバー及び前飾り部材の三つに分解できる構造であるため、発光基板は独立した一部品を構成することとなる。従って、発光基板にメーカー名等の識別標識を印刷する必要があって煩わしい上に、メーカー名を印刷する場合にはメーカー別に個別の識別標識を発光基板に印刷することとなりコストアップになる欠点がある。
【０００８】
また発光基板が独立した一部品を構成する構造の場合には、検定基準上、発光体には発光基板の裏側に貫通するリード端子を有するものを使用して、発光基板の裏側で発光体のリード端子と発光基板の裏面に形成された回路パターンとを接続することとなっており、発光基板の裏側に貫通するリード端子を備えていないチップタイプの発光体を使用できない欠点がある。
【０００９】
本発明は、このような従来の問題点に鑑み、遊技情報表示装置を容易且つ安価に製造できる遊技機を提供することを目的とする。
【課題を解決するための手段】
【００１０】
本発明は、遊技盤に前側から直接装着された前飾り部材に、発光基板の前面側の複数個の発光体の点滅等により遊技情報を表示する遊技情報表示装置を備えた遊技機において、前記発光体を含む前記発光基板を収容するケースを備え、該ケースは遮光性を有し且つ前記発光基板の前側に配置された前ケース体と、前記発光基板の後側に配置された後ケース体とを備え、前記前ケース体は前記複数個の発光体に対応する複数個の透過孔が形成され且つ該複数個の透過孔の前後両側が前記前飾り部材及び前記発光基板に当接する前面板を備え、前記前飾り部材は前記遊技情報表示装置の前面側に対応して設けられ且つ前記複数個の透過孔に対応する複数個の表示窓を有する遮光部を備えたものである。
【００１１】
前記遮光部は前記表示窓を有する遮光用表示シートであってもよい。
【００１２】
前記前ケース体と前記後ケース体との一方に挿入突部を、他方に該挿入突部が挿入される挿入凹部を夫々備え、前記前ケース体と前記後ケース体とを前記挿入突部と前記挿入凹部とを介して結合してもよい。前記前ケース体と前記後ケース体とを分離不能に結合してもよい。前記挿入突部を前記挿入凹部に圧入、接着又は溶着してもよい。
【発明の効果】
【００１３】
本発明によれば、遊技情報表示装置を容易且つ安価に製造できる利点がある。
【図面の簡単な説明】
【００１４】
【図１】本発明の第１の実施形態を示すパチンコ機の正面図である。
【図２】同発光基板の正面図である。
【図３】同前飾り部材の一部破断正面図である。
【図４】図３のＸ−Ｘ線断面図である。
【図５】図３のＹ−Ｙ線断面図である。
【図６】同遊技情報表示装置の背面図である。
【図７】同遊技情報表示装置の分解斜視図である。
【図８】本発明の第２の実施形態を示す要部の断面図である。
【図９】本発明の第３の実施形態を示す要部の断面図である。
【図１０】本発明の第４の実施形態を示す要部の断面図である。
【発明を実施するための形態】
【００１５】
以下、本発明の第１の実施形態を図面に基づいて詳述する。図１〜図７は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジ６により縦軸廻りに開閉自在に枢支されている。
【００１６】
前面板５の前側には発射用の遊技球を貯留する球供給皿７が配置され、その側方に遊技球を発射する発射手段（図示省略）の発射ハンドル８が設けられている。ガラス扉４の裏側には、このガラス扉４に対応するように前枠３に遊技盤１０が着脱自在に装着されている。
【００１７】
遊技盤１０の前面には、発射手段から発射された遊技球を誘導するガイドレール１１と、略円弧状の前飾り部材１２とが周方向に装着され、そのガイドレール１１と前飾り部材１２の内周壁１３との内側が略円形状の遊技領域１４となっている。前飾り部材１２は遊技領域１４の外周側に配置され、この前飾り部材１２の適当箇所の裏側に遊技情報表示装置９が装着されている。
【００１８】
遊技領域１４には中央役物１５、普通図柄始動手段１６、第１特別図柄始動手段１７、第２特別図柄始動手段１８、大当たり用の開閉入賞手段１９、普通入賞手段２０，２１等の各種の遊技部品が配置されている。
【００１９】
中央役物１５は画像表示手段２３を備え、遊技領域１４の左右方向の略中央に配置されており、この中央役物１５の左側が左打ち通路２４、右側が右打ち通路２５となっている。従って、遊技領域１４の上部に打ち込まれた遊技球は、左打ち通路２４と右打ち通路２５との何れかを経て順次落下する。
【００２０】
中央役物１５は遊技盤１０から前側に突出する前飾り枠２６を有し、遊技盤１０の前面に前側から着脱自在に装着されている。画像表示手段２３は液晶式等であって、前飾り枠２６の表示窓に対応して遊技盤１０の裏側に着脱自在に装着されている。
【００２１】
中央役物１５の下側の左右略中央には、この中央役物１５と最下部のアウト球口２７との間に第１特別図柄始動手段１７と第２特別図柄始動手段１８とが上下方向に配置されている。中央役物１５の左下側には左打ち通路２４を置いて複数個の普通入賞手段２０が配置され、また右側には右打ち通路２５中に普通図柄始動手段１６が配置され、更に中央役物１５の右下側には開閉入賞手段１９、普通入賞手段２１が配置されている。
【００２２】
前飾り枠２６は左打ち通路２４側に開口する球誘導口２８ａと、この球誘導口２８ａを経て誘導された遊技球を第１特別図柄始動手段１７の上方近傍で遊技盤１０の前側へと落下させる球落下部２８ｂとを有する。
【００２３】
遊技情報表示装置９は、図２に示すように、発光基板３０の前面に所定間隔を置いて縦横に配置された多数（複数個）の発光体３１を有し、その各発光体３１の１個又は複数個が第１特別図柄表示手段３３、第２特別図柄表示手段３４、第１特別図柄保留表示手段３５、第２特別図柄保留表示手段３６、普通図柄表示手段３７、普通図柄保留表示手段３８、高確率報知手段３９、変動短縮報知手段４０、右打ち報知手段４１、ラウンド数報知手段４２等に割り当てられている。各表示手段３３〜３８、報知手段３９〜４２は発光体３１の消灯、点灯、点滅、更には発光色の違い等の組み合わせにより所定の情報を表示するようになっている。
【００２４】
普通図柄表示手段３７は普通図柄を変動表示するためのもので、１個又は複数個、例えば１個の発光体３１により構成されており、普通図柄始動手段１６が遊技球を検出することを条件にその発光体３１が所定時間点滅して、普通図柄始動手段１６の遊技球の検出時に抽選した乱数値が予め定められた当たり判定値と一致した場合に当たり態様の点灯で停止し、それ以外の場合に外れ態様の消灯で停止する。なお、変動後の普通図柄は１／１０程度の所定の確率で当たり態様となる。
【００２５】
普通図柄保留表示手段３８は普通図柄の変動中に普通図柄始動手段１６が遊技球を検出した場合に所定の上限数（例えば４個）まで保留記憶される保留数を、１個又は複数個、例えば２個の発光体３１の消灯、点滅、点灯の組み合わせにより表示するようになっている。
【００２６】
第１特別図柄表示手段３３、第２特別図柄表示手段３４は１個又は複数個、例えば８個の発光体３１の消灯、点滅、点灯の組み合わせにより第１特別図柄、第２特別図柄を変動表示可能に構成されており、第１特別図柄表示手段３３は第１特別図柄始動手段１７が、第２特別図柄表示手段３４は第２特別図柄始動手段１８が夫々遊技球を検出することを条件に、各発光体３１の点滅等により第１特別図柄、第２特別図柄が所定時間変動して、第１特別図柄始動手段１７、第２特別図柄始動手段１８の遊技球の検出時に抽選された乱数値が予め定められた大当たり判定値と一致した場合に所定の発光体３１の組み合わせにより大当たり態様で、それ以外の場合に外れ態様で夫々停止する。なお、第１特別図柄、第２特別図柄は大当たり状態中の場合には何れも変動しないし、一方が変動中の場合にも他方は変動しない。
【００２７】
高確率報知手段３９は大当たり状態終了後の高確率状態中を１個又は複数個、例えば１個の発光体３１の点灯により報知する。即ち、変動後の第１特別図柄、第２特別図柄は、通常確率状態中は１／３５０等の通常確率で大当たり態様となるが、大当たり状態終了後の高確率状態中は１／３５等の高確率で大当たり態様となり、その高確率状態中を高確率報知手段３９が表示する。なお、大当たり状態中の場合には第１特別図柄、第２特別図柄は何れも変動しないし、一方が変動中の場合には他方は変動しない。
【００２８】
第１特別図柄始動手段１７、第２特別図柄始動手段１８の始動検出は所定の上限数（例えば４）まで保留可能であり、その保留数を第１特別図柄保留表示手段３５、第２特別図柄保留表示手段３６の１個又は複数個、例えば２個の発光体３１の点滅、点灯の組み合わせにより表示する。なお、第１特別図柄、第２特別図柄の両方に１以上の保留がある場合には、第２特別図柄表示手段３４の図柄変動が優先する。
【００２９】
変動短縮報知手段４０は例えば１個の発光体３１の点灯により高確率状態中の第１特別図柄、第２特別図柄の変動時間の短縮を報知するようになっている。右打ち報知手段４１は第１特別図柄が大当たり態様で停止した大当たり状態中、高確率状態中は右打ちが有利となるので、例えば４個の発光体３１の点滅、点灯等の組み合わせにより右打ちを報知する。
【００３０】
ラウンド数報知手段４２はラウンド数の違いによる大当たりの種類を報知するもので、大当たりの種類によって大当たり状態中に開閉入賞手段１９が開閉動作を繰り返すときのラウンド数（例えば１５ラウンド大当たり、１０ラウンド大当たり、２ラウンド大当たり等）に違いがある場合に、何れかの種類の大当たりを抽選したときに、その種類の大当たりのラウンド数を例えば３個の発光体３１の点滅、点灯、発光色の違い等の組み合わせにより報知するようになっている。
【００３１】
画像表示手段２３は第１特別図柄表示手段３３、第２特別図柄表示手段３４に対応する演出図柄表示手段４４を構成するもので、第１特別図柄、第２特別図柄の変動時にその図柄変動に同期して変動する１個又は複数個、例えば３個の演出図柄４４ａ〜４４ｃを変動表示する。演出図柄４４ａ〜４４ｃは第１特別図柄始動手段１７、第２特別図柄始動手段１８の遊技球の検出を条件に、抽選により決定された所定の演出図柄変動パターンを経て所定時間変動した後、第１特別図柄、第２特別図柄の変動終了に同期して所定の順序で順次停止するようになっている。なお、演出図柄表示手段４４は第１特別図柄表示手段３３、第２特別図柄表示手段３４に対応して別々に設けてもよい。
【００３２】
演出図柄４４ａ〜４４ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００３３】
例えば、演出図柄４４ａ〜４４ｃには０〜９までの数字図柄が使用されており、特別図柄が大当たり態様で停止する場合には演出図柄４４ａ〜４４ｃは「７・７・７」等の大当たり演出態様で停止し、特別図柄が外れ態様で停止する場合には演出図柄４４ａ〜４４ｃは「２・４・５」等の外れ演出態様で停止する。
【００３４】
第１特別図柄始動手段１７は非開閉式であって、画像表示手段２３の下側に配置されており、この第１特別図柄始動手段１７は右打ち通路２５に比較して左打ち通路２４を経て落下する遊技球が入賞し易くなっている。
【００３５】
第２特別図柄始動手段１８は開閉式であって、左右一対の開閉部材１８ａを備えた電動チューリップ式入賞手段等により構成され、普通図柄表示手段３７の変動後の普通図柄が当たり態様で停止した場合に所定の開放パターンで開放するようになっている。
【００３６】
第２特別図柄始動手段１８の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００３７】
開閉入賞手段１９は変動後の第１特別図柄、第２特別図柄が大当たり態様で停止した場合に発生する大当たり状態中に所定の開放パターンで開閉するもので、右打ち通路２５の下側で前側に突出する前飾り枠４５に上向きに開口して設けられた大入賞口４６と、この大入賞口４６を開閉する開閉板４７とを有する。開閉板４７は前進時に大入賞口４６を閉鎖して上側の遊技球を特別図柄始動手段１７，１８へと案内し、後退時に大入賞口４６を開放して遊技球が大入賞口４６に入賞すべく前後方向に出退自在である。
【００３８】
なお、開閉入賞手段１９の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、大当たりの抽選時にその複数種類の開閉パターンの何れかが抽選される。
【００３９】
普通図柄始動手段１６は遊技球の検出を条件に普通図柄表示手段３７の普通図柄を変動させるためのもので、右打ち通路２５を落下する遊技球が通過可能な通過ゲートにより構成されている。
【００４０】
遊技情報表示装置９は、図３〜図７に示すように、例えば多数の発光体３１が装着された発光基板３０と、この発光体３１を含む発光基板３０を収容するケース５０とを備え、前飾り部材１２の前壁部５１の裏側の保持部５２内に嵌め込まれて一対の係合爪５３等により着脱自在に装着されている。保持部５２は前飾り部材１２の内周壁１３と保持壁５４とによりケース５０を取り囲むように構成されている。
【００４１】
発光基板３０は遊技領域１４の外周に沿う方向に長い略矩形状であり、この発光基板３０の前面にＬＥＤ等の発光体３１が千鳥状に配置され、また裏面にハーネス接続用のコネクタ５５、回路パターンが設けられている。発光体３１にはチップタイプのものが使用されており、発光基板３０の裏面の回路パターンに接続された発光基板３０の前面側の導体部にハンダ付けにより固定されている。なお、発光体３１には発光基板３０の裏側に突出するリード端子を有するものを使用してもよい。発光基板３０にはその周辺部に１又は複数、例えば２個の位置決め孔５７が設けられている。
【００４２】
ケース５０は発光基板３０の前面側に対応する前ケース体５８と、発光基板３０の背面側に対応する後ケース体５９とにより構成されている。前ケース体５８は、発光基板３０の前面と対向する前面板６０と、この前面板６０の外縁部に沿って裏側に突設された前周壁部６１と、発光基板３０側の各発光体３１に対応して前面板６０に前後方向に貫通状に形成された透過孔６２と、前面板６０から裏側に突設され且つ各透過孔６２を取り囲む導光部６３と、発光基板３０の位置決め孔５７に対応して前面板６０から裏側に突設された位置決め突起兼用の挿入突部６４とを備え、例えば遮光性を有する合成樹脂により一体に形成されている。
【００４３】
なお、透過孔６２は表示部を構成するが、前ケース体５８が光透過性を有する場合には、遮光性を有するシート材に孔を形成する等より表示部を形成すればよく、その場合には前面板６０に透過孔６２を設けなくてもよい。
【００４４】
発光基板３０は前ケース体５８の挿入突部６４を位置決め孔５７に貫通させた状態で前ケース体５８内に装着されている。なお、各導光部６３は互いに隙間なく一体化された状態で配置されているが、各透過孔６２毎に独立する筒状であってもよい。
【００４５】
後ケース体５９は、発光基板３０の背面に対向する背面板６５と、この背面板６５の外縁部に沿って前向きに突設された後周壁部６６と、発光基板３０の位置決め孔５７に対応して例えば背面板６５に設けられた挿入凹部６７とを備え、例えば遮光性を有する合成樹脂により一体に形成されている。
【００４６】
この後ケース体５９は前ケース体５８側に装着された発光基板３０側から、位置決め突起兼用の挿入突部６４を挿入凹部６７に嵌合させつつ前ケース体５８の裏側に嵌め合わされるようになっている。後ケース体５９には、背面板６５の裏側に部品番号等の識別標識６５ａが一体成型により表示されている。
【００４７】
なお、後ケース体５９には、背面板６５にコネクタ孔５６が形成されており、このコネクタ孔５６から外部に露出する発光基板３０側のコネクタ５５に図外のハーネスが接続されるようになっている。
【００４８】
前飾り部材１２の前壁部５１には、遊技情報表示装置９の外周近傍部分から前面側にわたる範囲にシート貼着部６９が凹入状に設けられ、このシート貼着部６９内に遮光用表示シート７０が粘着剤等を介して貼着されている。遮光用表示シート７０は遮光性を有し、各透過孔６２を介して各発光体３１と対向する表示窓７１が孔状に設けられている。前飾り部材１２の前壁部５１のシート貼着部６９を除く部分には、必要に応じて装飾シート、装飾メッキ等を設ければよい。なお、遮光用表示シート７０は少なくとも遊技情報表示装置９の前面側に対応する領域にあればよい。
【００４９】
また表示窓７１は孔状でなくてもよい。遮光用表示シート７０は表示窓７１が透光性を有するものであれば十分であり、例えば透明シート材の表示窓７１を除く部分にメッキ、印刷等により遮光膜、遮光層等を形成するか、遮光シートを貼着する等により遮光用表示シート７０を構成してもよい。この場合には遮光用表示シート７０に孔等を設ける必要がないので、表示窓７１が孔等の場合に比較して遮光用表示シート７０が損傷し難くなり、遮光用表示シート７０の貼着等を容易に行うことができる。
【００５０】
ゲームに際しては、発射手段を操作して遊技領域１４へと遊技球を発射させる。このとき通常確率状態であれば、遊技者は第１特別図柄始動手段１７に入賞し易い左打ち通路２４に遊技球が集中するように左打ちをする。左打ち通路２４を落下する間に、遊技球が中央役物１５の球誘導口２８ａ、球落下部２８ｂ等を経て第１特別図柄始動手段１７に入賞すると、第１特別図柄表示手段３３を構成する複数個の発光体３１の点滅により第１特別図柄が所定時間変動し、この第１特別図柄の変動に同期して演出図柄表示手段４４の演出図柄４４ａ〜４４ｃが所定時間変動する。そして、第１特別図柄始動手段１７に遊技球が入賞したときの抽選結果が大当たりであるか否かに応じて、第１特別図柄表示手段３３の変動後の第１特別図柄が大当たり態様又は外れ態様で停止し、演出図柄表示手段４４の演出図柄４４ａ〜４４ｃが大当たり演出態様又は外れ演出態様で停止する。
【００５１】
通常確率状態中でも右打ち通路２５に進入した遊技球が普通図柄始動手段１６に入賞すれば、普通図柄表示手段３７を構成する１個の発光体３１の点滅により普通図柄が所定時間変動して、変動後に当たり態様の発光状態で停止することもある。しかし、通常確率状態中は第２特別図柄始動手段１８の開放時間が極僅かであるため、第２特別図柄始動手段１８に遊技球が入賞する可能性は非常に低い。
【００５２】
第１特別図柄表示手段３３の変動後の第１特別図柄が大当たり態様で停止すれば大当たり状態となり、抽選された大当たりの種類に応じて開閉入賞手段１９が所定ラウンド数開閉動作を繰り返すので、遊技者は開閉入賞手段１９に遊技球が入賞し易い右打ち通路２５側に遊技球を集中させるべく右打ちをする。
【００５３】
また抽選された大当たりの種類に応じてラウンド数報知手段４２が発光体３１の点灯、消灯等によりその大当たりの種類（ラウンド数）を報知する。なお、ラウンド数報知手段４２は開閉入賞手段１９の開閉動作の開始に先行してラウンド数を報知してもよいし、開閉入賞手段１９が開閉動作中にラウンド数を報知してもよい。
【００５４】
右打ち通路２５に入った遊技球は普通図柄始動手段１６に入賞するか、入賞しないで下方に落下した後、特別図柄始動手段１７，１８又はアウト球口２７側へと流下する。そして大当たりの場合には、所定の開閉パターンで開閉する大入賞口４６に入賞する。
【００５５】
右打ち通路２５に入った遊技球は前飾り部材１２に沿って通過し、普通図柄始動手段１６に入るか、入らずに落下する。普通図柄始動手段１６に遊技球が入ると、普通図柄表示手段３７を構成する発光体３１の点滅により普通図柄が所定時間変動して当たり態様又は外れ態様で停止する。そして、当たり態様で停止した場合には、第２特別図柄始動手段１８が所定の開閉パターンで開閉し、第２特別図柄始動手段１８に遊技球が入賞し易くなる。
【００５６】
この実施形態の遊技情報表示装置９は、発光体３１が装着された発光基板３０をケース５０内に収容しているため、発光基板３０及びケース５０を含む遊技情報表示装置９全体で一部品を構成することとなる。従って、発光体３１が装着された発光基板３０を備えているにも拘わらず、発光基板３０にメーカー名、基板管理番号等の識別標識６５ａを印刷する必要がなく、その印刷に伴う工数を削減できる。またメーカー名等を表示する必要がないので、同一の構成を採用する発光基板３０を複数のメーカーに共通部品として容易に供給できることとなり、識別標識６５ａの印刷工数の削減と相俟って量産による製作コストの低減を容易に図ることができる。
【００５７】
ケース５０は各発光体３１に対応する表示窓７１を有する前ケース体５８と、前ケース体５８の裏側に結合され且つ前ケース体５８との間で発光基板３０を覆う後ケース体５９とを備えているため、前後ケース体５８，５９の構造を簡素化でき、合成樹脂成型等により容易に製作することができる。また発光体３１にチップタイプのものを使用でき、必要に応じて部品を自由に選択することが可能である。
【００５８】
前後ケース体５８，５９の一方に挿入突部６４を、他方に挿入突部６４が挿入される挿入凹部６７を夫々備え、挿入突部６４と挿入凹部６７とを介して前後ケース体５８，５９を結合するため、遊技情報表示装置９の組み立ても容易にできる。
【００５９】
なお、前後ケース体５８，５９は挿入突部６４を挿入凹部６７に圧入して結合してもよい。その場合、圧入により前後ケース体５８，５９を分離不能に結合してもよいし、分離可能に結合してもよい。また前後ケース体５８，５９は挿入突部６４、挿入凹部６７を介して分離不能に結合してもよい。更に前後ケース体５８，５９を接着剤により接着してもよいし、前後ケース体５８，５９を高周波溶着その他により溶着してもよい。
【００６０】
遊技情報表示装置９にその部品番号等の識別標識６５ａを付す場合でも、前後ケース体５８，５９の何れか一方、例えば後ケース体５９の背面板６５の裏面に対応して成型用金型に識別標識成型部を設けておけば、後ケース体５９の成型により同時に成型きるので、発光基板３０に識別標識６５ａを印刷する場合に比較して容易に付すことができる。
【００６１】
前ケース体５８、後ケース体５９は遮光性を有し、前ケース体５８は発光基板３０と対向する前面板６０に各発光体３１に対応する透過孔６２を備え、遊技盤１０の遊技領域１４の外周に配置された前飾り部材１２に遊技情報表示装置９の前面側に対応して設けられ且つ各透過孔６２に対応する表示窓７１を有する遮光用表示シート７０を設けているので、発光基板３０に多数の発光体３１を装着した場合でも、その何れかの発光体３１を発光させることにより、所定の遊技情報を明瞭に表示することができる。
【００６２】
図８は本発明の第２の実施形態を例示する。この遊技情報表示装置９は、前ケース体５８の前周壁部６１の後端に挿入凹部６７が、後ケース体５９の後周壁部６６の前端に挿入突部６４が夫々周方向に設けられ、その挿入突部６４と挿入凹部６７とが互いに嵌合するようになっている。その他の構成は第１の実施形態と略同様である。
【００６３】
このように挿入突部６４と挿入凹部６７は、前後ケース体５８，５９に周方向に設けてもよい。挿入突部６４、挿入凹部６７は、前後逆に設けてもよい。
【００６４】
図９は本発明の第３の実施形態を例示する。この遊技情報表示装置９は、前ケース体５８の前面板６０に開口７３が形成され、その開口７３に嵌合する導光板７４が前ケース体５８内に設けられている。導光板７４は遮光性材料により構成されており、この導光板７４に各発光体３１に対応する透過孔６２が形成されている。他の構成は第１の実施形態と同様である。
【００６５】
このように前ケース体５８内に導光板７４を設ける場合には、導光板７４を遮光性材料により構成できるので、前ケース体５８は光透過性を有する材料により構成することも可能である。
【００６６】
図１０は本発明の第４の実施形態を例示する。この遊技情報表示装置９は、裏側が開放状のケース５０内に発光基板３０を収容して、光透過性を有するモールド材７５により発光基板３０をモールドしたものである。ケース５０は前面板６０と周壁部６０ａとを有し、その前面板６０には各発光体３１に対応してテーパー状の透過孔６２が設けられている。モールド材７５は透過孔６２から発光基板３０の裏側にわたってケース５０内に充填されている。発光基板３０はモールド材７５から露出するようにしてもよい。他の構成は第１の実施形態と同様である。
【００６７】
このように遊技情報表示装置９は、発光基板３０をケース５０内に収容してモールド材７５によりモールドしたものでもよい。この場合には、発光基板３０はケース５０から分離不能であり、遊技情報表示装置９全体で一部品を構成するため、発光基板３０に識別標識を印刷する必要がなくなる。
【００６８】
以上、本発明の各実施形態について詳述したが、本発明はこの各実施形態に限定されるものではなく、本発明の趣旨を逸脱しない範囲で種々の変更が可能である。例えば、遊技情報表示装置９は、発光基板３０に装着された多数の発光体３１を備え、その多数の発光体３１を第１特別図柄表示手段３３、第２特別図柄表示手段３４、第１特別図柄保留表示手段３５、第２特別図柄保留表示手段３６、普通図柄表示手段３７、普通図柄保留表示手段３８、高確率報知手段３９、変動短縮報知手段４０、右打ち報知手段４１、ラウンド数報知手段４２に割り当てる場合について例示しているが、これらの一部を構成するものでもよいし、これらの一部又は全部に他の表示又は報知手段を付加するものしてもよい。
【００６９】
ラウンド数報知手段４２は大当たり状態中に開閉入賞手段１９が所定のラウンド数まで開閉動作を繰り返す場合に、発光体３１の点滅、点灯等の組み合わせにより現在のラウンド数（例えば１５ラウンド大当たりの２ラウンド目、１０ラウンド目等）を報知するようにしてもよい。
【００７０】
また遊技情報表示装置９は前飾り部材１２の裏側に装着するようにしているが、前飾り部材１２に開口を設け、その開口と対応するように遊技情報表示装置９を遊技盤１０の前面に装着してもよい。遊技情報表示装置９の配置位置は遊技盤１０の遊技領域１４内でもよい。その場合、遊技盤１０の前面に開口又は凹部等の装着部を設け、遊技盤１０の前面と略一致するようにその装着部内に遊技情報表示装置９を配置してもよい。また遊技領域１４内に配置された中央役物１５の前飾り枠２６を利用して、その前飾り枠２６の前面又は裏面に遊技情報表示装置９を装着してもよい。
【００７１】
遊技情報表示装置９は発光体３１を含む発光基板３０をケース５０で覆うことが望ましいが、発光基板３０の一部が露出する状態であってもよい。またケース５０を複数個のケース体で構成する場合、そのケース体の数、形状は任意に決定すればよい。ケース５０に識別標識を付する場合に、その位置はケース５０の裏面が適当であるが、外側の面であればどこでもよい。また遊技情報表示装置９はパチンコ機、アレンジボール機等の弾球遊技機に採用する他、スロットマシン等に採用してもよい。
【符号の説明】
【００７２】
９  遊技情報表示装置
１０  遊技盤
１４  遊技領域
３０  発光基板
３１  発光体
５０  ケース
５８  前ケース体
５９  後ケース体
６０  前面板
６２  透過孔
６４  挿入突部
６７  挿入凹部
７０  遮光用表示シート
【図１】
0005613705.tif 000002
【図２】
0005613705.tif 000003
【図３】
0005613705.tif 000004
【図４】
0005613705.tif 000005
【図５】
0005613705.tif 000006
【図６】
0005613705.tif 000007
【図７】
0005613705.tif 000008
【図８】
0005613705.tif 000009
【図９】
0005613705.tif 000010
【図１０】
0005613705.tif 000011